(57)【要約】【課題】段階式ノータッチ給水装置に関するもので、手で触れることなく、異なる出水量を段階的に給水する段階式ノータッチ給水装置を提供する。【解決手段】段階式ノータッチ給水装置は、少なくとも入水口及び出水口を具えた活栓本体、バルブ口を具えた制御バルブ、連動ユニット、少なくとも一つの踏み板及び一流水量制御ユニットを含む。この流水量制御ユニットは、踏み板の一側面に設置し、踏み板の位置移動量にかかわり、更には連動ユニットが入水口及び出水口の間にあるバルブ口の重畳面積をコントロールすることにより、段階的に給水し、且つ異なる出水量を供給する。【選択図】図１
0003127040.tif 000002
【実用新案登録請求の範囲】
【請求項１】
主に活栓本体、制御バルブ、連動ユニット、流水制御ユニットから構成された段階式ノータッチ給水装置において、中空室を具え、中空室内に入水口及び出水口が設置され、中空室に制御バルブが設置される活栓本体と、中空室へ伸びてバルブ口を形成し、別側は連動ユニットの一側に軸設する制御バルブと、制御バルブ及び踏み板に連接し、踏み板が制御バルブの動作を制御する連動ユニットと、使用者が踏み、連動ユニットにより制御バルブの移動を制御する少なくとも一つの踏み板と、踏み板の一側に設置して踏み板の位置移動量に係わり、更に入水口及び出水口の間あるバルブ口の重畳面積を制御する流水量制御ユニットから構成されることを特徴とする段階式ノータッチ給水装置。
【請求項２】
前記水流制御ユニットは、踏み板の一側に設置し、供給装置の踏み板近くの一側面に定位した固定部を具え、また踏み板に近い一側面には複数の高低排列の係止部と、最上側に形成した凹槽設置した段階式係止板と、段階式係止板及び踏み板の上方に設置し、凹槽と相互に掛合した掛合固定部及び復位部品を具える限定板と、段階式係止板の固定部近くの一側に設置した復位部品を含み、踏み板を制御して異なる係止部上に掛合することによって、制御バルブが異なる位置移動量を形成し、入水口及び出水口の間に於けるバルブ口の重畳面積を変え、入水口の水を異なる流水量にして出水口から出し、使用者が給水を止めたい時には、踏み板を下へ移動し、段階式係止板の凹槽を掛合固定部まで移動すると、復位部品が限定板を押して下へ移動させ、段階式係止板が限定板の制限を受けて定位し、またこの踏み板が復位部品の力で上へ上がり、更に限定板を押して限定板を段階式係止板の制限から解除させ、段階式係止板が元の位置に戻ることを特徴とする請求項１記載の段階式ノータッチ給水装置。
【請求項３】
前記踏み板は、使用者が踏むための作動板と、複数の係止部内に伸びて定位し、複数凸塊を設置する掛合塊と、踏み板の底側に設置する復位部品を含むことを特徴とする請求項２記載の段階式ノータッチ給水装置。
【請求項４】
前記連動部品は、温度制御ユニットと制御バルブを相互に連接し、その連動ユニットは更に軸桿を含み、その軸桿の中心に近い箇所に固定端を設置し、軸桿の一側は温度制御ユニット上に軸設し、別側は踏み板上に軸設し、踏み板が踏まれるか、もしくは跳ね上がった時、軸桿及び温度制御ユニットによって制御バルブを上、下に移動することを特徴とする請求項１記載の段階式ノータッチ給水装置。
【請求項５】
前記活栓本体は、冷水、熱湯進入口を設置し、温度制御ユニットは回転盤、追動部品及び復位部品を設置し、この制御バルブが回転盤上に軸設し、追動部品一側は回転盤下方に固定し、回転盤外周に沿って回した後、踏み板上に連接し、踏み板が移動すると、追動部品によって回転盤が回転し、制御バルブを回転させることを特徴とする請求項４記載の段階式ノータッチ給水装置。
【請求項６】
前記給水装置は、二個の踏み板を設置し、そのうちの一個の踏み板は連動ユニットを経由して制御バルブを作動させ、また別の踏み板は温度制御ユニットを経由して制御バルブを作動させることを特徴とする請求項４記載の段階式ノータッチ給水装置。
【考案の詳細な説明】
【技術分野】
【０００１】
本考案は、段階式ノータッチ給水装置に関するもので、手で触れることなく、異なる出水量を段階的に給水するものである。
【背景技術】
【０００２】
一般に水道水から水を取る時、水源からの水を活栓に供給し、活栓が開閉することにより、活栓からの水の出水量をコントロールする（例として出水量、出水時間…等)。水源から供給が正常な状態の時、使用者が活栓を動かして開いた状態にすれば、水は常に流れ続け、使用者はスムーズに水を得ることができる。しかしながら、使用者の使い方が悪く、活栓を開けている時間が長すぎると、水を無駄使いする。または活栓をしっかりと締めないと、水漏れが発生し、やはり水の無駄使いを起こす。別に使用者は手で活栓を動かして出水を制御しなければならないが、一般の公共の場の使用者は多いため、活栓を常に清潔にしないと、汚れが溜まり、病原菌の巣となってしまう。
【０００３】
更に活栓を手で回して出水状況をコントロールしなければならないため、例として水の量の多少、もしくは水が流れる高低の調整はすべて手で行わなければならない。しかし、手に障害を持った人は活栓を回すことはできないし、もしくは使用者が手を使うのに不便な状況の下、例えばシャワー室で頭を下げて洗髪する場合、正確な出水のコントロールは困難であり、使用上大変不便である。
【考案の開示】
【考案が解決しようとする課題】
【０００４】
解決しようとする問題点は、手で活栓を動かさなければならない点である。
【課題を解決するための手段】
【０００５】
本考案は、少なくとも入水口及び出水口を具えた活栓本体、バルブ口を具えた制御バルブ、連動ユニット、少なくとも一つの踏み板及び一流水量制御ユニットを含む。この流水量制御ユニットは、踏み板の一側面に設置し、踏み板の位置移動量にかかわり、更には連動ユニットが入水口及び出水口の間にあるバルブ口の重畳面積をコントロールすることにより、段階的に給水し、且つ異なる出水量を供給することを最も主要な特徴とする。
【考案の効果】
【０００６】
本考案の段階式ノータッチ給水装置は、下述の利点がある。
１．手で活栓を回転させなくても良い。脚もしくはその他の工具(例として松葉杖、車椅子等)で操作できるため、手が不自由な障害者も給水装置を使用できる。
２．一般のシャワー室に設置すれば、使用者が頭を下げて洗髪する場合でも、足で踏み板を踏んで給水すれば、便利で実用性が高まる。
３、踏み板で段階式に異なる水量を給水し、且つこの踏み板が段階式で係止板を係止するため、使用者は踏み板を踏み続けなくても給水装置が継続して水を供給する。
４、踏み板で出水温度を制御できるため、使用者の要求に基づいた水温にするため、踏み板を移動して水温を制御する。
５、使用者が踏み板で温度を調整した温水を出した後、踏み板は元の位置、即ち冷水出水位置に戻る。踏み板を押すといつでも冷水が出るので、その後水温を調整する。これによって熱水が初めに出て火傷をするのを防止する。
【考案を実施するための最良の形態】
【０００７】
本考案の「ノータッチ給水装置」の主な目的は、踏み板で出水状況を制御し、手で触れることなく、出水が制御でき、且つ異なる出水量を段階的に給水させることである。
【０００８】
上述の目的のため、本考案のノータッチ給水装置は、少なくとも入水口及び出水口を具えた活栓本体、バルブ口を具えた制御バルブ、連動ユニット、少なくともひとつの踏み板及び流水量制御ユニットを含む。この流水量制御ユニットは、踏み板の一側面に設置し、踏み板の位置移動量に係わる。更に連動ユニットが入水口及び出水口間にあるバルブ口の重畳面積を制御することにより、段階式の給水および異なる出水量を達成する機能を具える。
【実施例１】
【０００９】
本考案は、段階式ノータッチ給水装置で、その給水装置１０の全体構造は、図１に示すとおり、踏み板５で出水状況をコントロールし、手で触れる必要がない。更に異なる出水量を段階的に給水し、この給水装置１０には少なくとも以下を含む。
【００１０】
活栓本体１は、図２及び図３に示すとおり、中空室１１を具え、その中空室１１内に冷水、熱湯進入口１２、１３及び出水口１４を設置し、中空室１１内にはまた制御バルブ２を設置する。
【００１１】
制御バルブ２は、中空室１１まで伸びてバルブ口２１を形成する。図２から図４に示すとおり、別側には球状軸体２２が成形され、温度制御ユニット３によって連動ユニット４の一側面に連接される。
【００１２】
温度制御ユニット３は、図４から図６に示すとおり、回転盤３１、追動部品３２及び一復位部品３３(バネでもよい)を設置する。その回転盤３１一側面には凹槽３１１が成形されて制御バルブ２に枢設され、別側は連動ユニット４に枢設される。追動部品３２(鋼鉄ロープでもよい)の一側面は回転盤３１下方に固定して回転盤３１外周に沿って巻きつけた後、二個の滑動輪３４を通って踏み板５に連接される。また復位部品３３は、回転盤３１上に設置して回転盤３１が回転した後の元に戻る回復力を助ける。
【００１３】
連動ユニット４は、温度制御ユニット３で制御バルブ２と相互に連接する。連動ユニット４は更に軸桿４１を含み、その軸桿４１の中心近くには固定端４２を設置する。また軸桿４１の片側は温度制御ユニット３の回転盤３１に軸設し、別側は踏み板５上に軸設し、踏み板５で制御バルブ２の動きを制御する。
【００１４】
少なくとも一つの踏み板５で、図に示すのは単一の踏み板形式の実施例である。使用者が踏むと、連動ユニット４及び温度制御ユニット３が制御バルブ２の移動をコントロールする。踏み板５は更に一作動板５１、掛合塊５２及び復位部品５３を含む。
【００１５】
流水量制御ユニット６は、踏み板の片側に設置して踏み板の位置移動量に係わる。更に段階式係止板６１、一限定板６２及び復位部品６３を含み、その段階式係止板６１は固定部６１１を具えて踏み板５近くの給水装置１０の一側面に固定する。また踏み板５近くの一側面には複数の高低排列の係止部６１２が設置され、そこに踏み板の掛合塊５２を係止し、最上部に凹槽６１３を形成する。限定板６２は、段階式係止板６１及び踏み板５の上方に設置し、凹槽６１３と相互に掛合固定する掛合固定部６２１及び復位部品６２２を具え、復位部品６３は固定部６１１近くの段階式係止板の一側面に設置する。
【００１６】
給水装置１０が正常時、つまり水を供給しない状態の時、図３に示すとおり、出水口１４箇所に位置するバルブ口２１と、出水口１４とが相互に重なり、制御バルブ２のその他の部分は冷水、熱湯進入口１２、１３を遮蔽し、冷水、熱湯進入口１２、１３の水はバルブ口２１から出水口１４へ進入できず、水供給状態となる。
【００１７】
使用者が足で踏み板５の作動板５１を踏むと、図７に示すとおり、同時に掛合塊５１及び軸桿４１を下向き移動し、軸桿４１別端は上向きに移動する。温度制御ユニット３を経由して制御バルブ２が上に移動し、制御バルブ２内のバルブ口２１は、図８に示すとおり、下向きに移動する。このバルブ口２１が同時に冷水進入口１２と出水口１４の一部面積を重畳し、更に冷水進入口１２の冷水をバルブ口２１を経由して出水口１４へ進入させ、使用者に水が供給する。そのうち踏み板５を下へ移動させる位置移動量により、掛合塊５１が異なる係止部６１２上に係止され、且つ段階式係止板６１が固定部６１１を軸心として係止部６１２別側向きに枢設回転する。制御バルブ２に異なる位置移動量を形成させると、冷水進入口１２及び出水口１３の間にあるバルブ口２１重畳面積を変更し、冷水進入口１２の水を異なる流量で出水口１３から流れ出させることにより、段階的給水の目的を達成し、且つ踏み板が段階式係止板の係止により、続けて水を供給する。
【００１８】
使用者が給水を止めたい時、踏み板５を下へ移動させる。図９に示すとおり、段階式係止板６１の凹槽６１３を掛合固定部６２１まで移動させる。つまり復位部品６２２が限定板６２を押して下へ移動させ、掛合固定部６２１を凹槽６１３内へ掛合し、段階式係止板６１が限定板６２の制限を受けて定位する。この踏み板５が復位部品５３の力によって上へ移動すると、限定板６２を押さえ、限定板６２を上へ移動させる。掛合固定部６２１が凹槽６１３から外れると、段階式係止板６１の制限が解除され、段階式係止板６１は元の位置に戻る。図４に示すのは、バルブ口２１が元に戻ったもので、図３は給水が停止している状態である。
【００１９】
その他、使用者が水温を調節したい時には、図８に示すとおり、同様に先ずバルブ口２１を下へ移動させて同時に冷水進入口１２と出水口１４の部分面積を重畳させた後(図６に示すとおり、先ず踏み板を下へ踏む動作を行う)、図１０に示すとおり、続いてバルブ口２１を右へ回して同時に冷水、熱湯進入口１２、１３と出水口１４の部分面積を重畳させる。すると冷水、熱湯進入口１２、１３の冷水、熱湯が中空室１１へ進入して混合した後、出水口１３から流れ出る。またバルブ口２１を回す動作は即ち踏み板５を下へ踏むことであるが、図７に示すとおり、踏み板５が段階式係止板６１に係止されると、隣の側へ向かって滑動して回転動作を形成する。図５及び図１１に示すとおり、追動部品３２が二個の滑動輪３４で回転盤３１まで引っ張って送り、回転盤３１を回転させ、制御バルブ２のバルブ口が回転動作を行う。図１５に示すとおり、当然この踏み板５は掛合塊５１近くの上もしくは下表面に複数の凸塊５４を設置し、各凸塊５４は掛合塊５１の上表面に設置し、踏み板５を段階式係止板６１に係止して隣側へ滑動して回転動作を行う時、異なる凸塊５４が段階式係止板６１の側辺と係止作用を形成する。更に踏み板の回転角度を制御してバルブ口を中空室内に於いて異なる角度での回転を形成させ、バルブ口と同時に冷水、熱湯進入口の重畳面積の大きさを変えることにより、出水口から出る温度が異なる。踏み板を離すと、回転盤３１が復位部品３３の回復によって元の位置に戻る。図１１に示す状態は図６の状態まで回復し、踏み板が元の位置に戻ったもので、図７及び図８に示すのは、冷水だけが出る状態である。
【実施例２】
【００２０】
更に図１２は本考案のノータッチ給水装置の別の実施例である。この給水装置１０は、二個の踏み板５、５’を設置する。そのうち、ひとつの踏み板５は、連動ユニット４を経て制御バルブ２を作動させる。また別の踏み板５’は、温度制御ユニット３を経て制御バルブ２を作動させる。この踏み板５は、同様に流水量制御ユニット６によって踏み板５の下向きの位置移動量に係わる。図１３に示すとおり、入水口及び出水口の間にあるバルブ口の重畳面積を変更することにより、入水口の水が異なる流水量で出水口から出る。図１４に示すとおり、別の踏み板５’を下へ踏んだ時、同じく追動部品３２によって回転盤３１を引っ張って回転させる。図８に示すとおり、更に制御バルブ２を回転させながら、踏み板を下へ踏むと、バルブ口２１が冷水進入口１２と出水口１４の重畳部分面積まで下へ移動する。更に別の踏み板５´を踏むと、バルブ口２１と同時に冷水、熱湯進入口１２、１３と出水口１４が部分面積を重畳し、図９に示す温度制御の機能を得る。
【００２１】
上述に示すとおり、本考案は段階式ノータッチ給水装置を提供し、法に基づき実用新案を申請するものである。以上の説明及び図の表示は、本考案の実施例であり、本考案を限定するものではない。よって本考案の構造、裝置、特徴と近似、雷同するものはすべて本考案の範囲とする。
【図面の簡単な説明】
【００２２】
【図１】本考案の給水装置の使用指示図である。
【図２】本考案の活栓と制御バルブの構造立体図である。
【図３】本考案の給水装置の無供給状態の構造指示図である。
【図４】本考案の給水装置の構造指示図である。
【図５】本考案の踏み板が片側へ滑動する動作指示図である。
【図６】本考案の温度制御ユニットの構造指示図である。
【図７】本考案の踏み板が下方向へ移動する動作指示図である。
【図８】本考案の給水装置の冷水を供給する構造指示図である。
【図９】本考案の給水を停止する時の動作指示図である。
【図１０】本考案の給水装置の冷水、熱湯を混合する構造指示図である。
【図１１】本考案の温度制御ユニットの動作指示図である。
【図１２】本考案の第二実施例の供給装置構造指示図である。
【図１３】本考案の第二実施例の給水装置構造指示図である。
【図１４】本考案の第二実施例の温度制御ユニットの動作指示図である。
【図１５】本考案の踏み板が片側へ滑動する別の動作指示図である。
【符号の説明】
【００２３】
１        活栓本体
１０        給水装置
１１        中空室
１２        冷水進入口
１３        熱湯進入口
１４        出水口
２        制御バルブ
２１        バルブ口
２２        球状軸体
３        温度制御ユニット
３１        回転盤
３１１        凹槽
３２        追動部品
３３        復位部品
３４        滑動輪
４        連動ユニット
４１        軸桿
４２        固定端
５        踏み板
５´      踏み板
５１        作動板
５２        掛合塊
５３        復位部品
５４        凸塊
６        流水量制御ユニット
６１        段階式係止板
６１１        固定部
６１２        係止部
６１３        凹槽
６２        限定板
６２１        掛合固定部
６２２        復位部品
６３        復位部品
【図１】
0003127040.tif 000003
【図２】
0003127040.tif 000004
【図３】
0003127040.tif 000005
【図４】
0003127040.tif 000006
【図５】
0003127040.tif 000007
【図６】
0003127040.tif 000008
【図７】
0003127040.tif 000009
【図８】
0003127040.tif 000010
【図９】
0003127040.tif 000011
【図１０】
0003127040.tif 000012
【図１１】
0003127040.tif 000013
【図１２】
0003127040.tif 000014
【図１３】
0003127040.tif 000015
【図１４】
0003127040.tif 000016
【図１５】
0003127040.tif 000017